(57)【要約】【課題】従来の粉砕技術によれば、フィルタープレスプレスケーキのような板状で生成される含水固形物を板状のままで、塊砕機へ直接投入し、塊砕することはできなかった。【解決手段】任意形状の本体に、任意の回転数で回転する塊砕刃をもつ塊砕機を使用する。塊砕機は例えば、材質をすべてＳＵＳ３０４とし、角柱型本体で本体内部横方向に主軸を持ち、主軸の回転方向に鋭角に研がれた塊砕刃が複数設けられた主軸を任意の回転数で回転させるとことができる構造となった塊砕機である。投入口よりフィルタープレスプレスケーキを投入すると、塊砕機本体下部の排出口より塊砕ケーキが排出される。【選択図】図１
2004337821.tif 000002
【特許請求の範囲】
【請求項１】
任意の回転数で回転する主軸に塊砕刃を有することを特徴とするフィルタープレスプレスケーキ用塊砕機。
【請求項２】
主軸は一軸、ニ軸又は多軸構造であることを特徴とする請求項１記載のフィルタープレスプレスケーキ用塊砕機。
【請求項３】
塊砕刃の構造は平板状または棒状であれば主軸の回転方向に対し刃面が鋭角、鈍角又は円形構造のいずれの構造でも良いことを特徴とする請求項１、２記載のフィルタープレスプレスケーキ用塊砕機。
【請求項４】
塊砕刃の材質は、圧延を含む鋼材類、ニッケルクロムモリブデン鋼等の機械構造用合金鋼、オーステナイト系、マンテルサイト系ステンレス等の特殊用途鋼及びチタン、アルミニウム、ホワイトメタル、エンプラ等の非鉄金属材のいずれでも良いことを特徴とする請求項１、２及び３記載のフィルタープレスプレスケーキ用塊砕機。
【請求項５】
塊砕機本体の材質は、圧延を含む鋼材類、ニッケルクロムモリブデン鋼等の機械構造用合金鋼、オーステナイト系、マンテルサイト系ステンレス等の特殊用途鋼及びチタン、アルミニウム、ホワイトメタル、エンプラ等の非鉄金属材のいずれでも良いことを特徴とする請求項１、２、３及び４記載のフィルタープレスプレスケーキ用塊砕機。
【請求項６】
主軸の太さ及び塊砕刃の大きさ、枚数及び間隔は、希望する塊砕粒度分布により設定できることを特徴とする請求項１、２、３、４及び５記載のフィルタープレスプレスケーキ用塊砕機。
り設定できることを特徴とする請求項１、２、３、４及び５記載のフィルタープレスプレスケーキ用塊砕機。
【請求項７】
塊砕機は、プレスケーキを連続供給又は回分供給のいずれでも使用できることを特徴とする請求項１、２、３、４、５及び６記載のフィルタープレスプレスケーキ用塊砕機。
【請求項８】
塊砕機本体の形状は角柱型、円筒状、楕円筒状、及び変楕円筒状のいずれの形状でも良いことを特徴とする請求項１、２、３、４、５、６及び７記載のフィルタープレスプレスケーキ用塊砕機。
【請求項９】
塊砕機にプレスケーキを投入する投入口及び塊砕された塊砕物を排出する排出口の形状は、角柱型、円筒状、楕円筒状、及び変楕円筒状のいずれの形状でも良いことを特徴とする請求項１、２、３、４、５、６、７及び８記載のフィルタープレスプレスケーキ用塊砕機。
【請求項１０】
塊砕機により塊砕可能な材料としては、フィルタープレスにより濾過脱水作業を行う染料、顔料、塗料、酸化物などを含む含水ケーキや食物繊維を含む繊維質添加固形物、廃水処理等により発生する汚泥固形物等の含水固形物とすることを特徴とする請求項１、２、３、４、５、６、７、８及び９記載のフィルタープレスプレスケーキ用塊砕機。
【請求項１１】
塊砕により発熱があり変質などの懸念がある場合は、塊砕機外周に冷却用ジャケットを取り付けることで、変質などの問題を解決することを特徴とする請求項１、２、３、４、５、６、７、８、９及び１０記載のフィルタープレスプレスケーキ用塊砕機。
【請求項１２】
塊砕機の取り付けは、フィルタープレス本体に附加して開盤作業と同時に塊砕することも、又排出されたプレスケーキをまとめて塊砕することもできることを特徴とする請求項１、２、３、４、５、６、７、８、９、１０及び１１記載のフィルタープレスプレスケーキ用塊砕機。
【発明の詳細な説明】
【０００１】
【発明の属する技術分野】
この発明は、フィルタープレスプレスケーキ用塊砕機に関する。
【０００２】
【従来の技術】
従来の粉砕機は、本発明のような含水固形物を塊砕する目的で開発されたものではなく、乾燥固形物を塊砕又は粉砕することを目的としているため、従来の粉砕機を本発明の使用場面にて使用すると塊砕されず、混練されてしまい粉砕機内に含水固形物が排出されない状態で留まり、塊砕不可能となる。
又、湿式粉砕機として、粉砕タンク内で攪拌ロータが攪拌し強制的に攪拌、粉砕したり、又ディスクロータの回転によりスラリーの粒子が粉砕されたりと含水物を粉砕するための機械は市販されているが、これらは、フィルタープレスプレスケーキのような板状固形物を投入することが不可能であったり、回分式であるため装置が膨大なものとなったり、粉砕タンクへの仕込み作業に付帯設備として多大の設備が必要であったりと、現実的にはこれらの従来機器でフィルタープレスプレスケーキを塊砕することは不可能である。
【０００３】
【発明が解決しようとする課題】
しかしながら、以上の従来技術によれば、フィルタープレスプレスケーキのような板状で生成される含水固形物を板状のままで、塊砕機へ直接投入し、塊砕することはできない。
そこで、この発明は、板状で生成するフィルタープレスプレスケーキを直接塊砕するための塊砕機を提供することを課題とする。
【０００４】
【課題を解決するための手段】
以上の課題を解決するために、請求項１の発明は、任意の回転数で回転する主また、請求項２の発明は、主軸は一軸、ニ軸又は多軸構造であることを特徴とする請求項１記載のフィルタープレスプレスケーキ用塊砕機である。
また、請求項３の発明は、塊砕刃の構造は平板状または棒状であれば主軸の回転方向に対し刃面が鋭角、鈍角又は円形構造のいずれの構造でも良いことを特徴とする請求項１、２記載のフィルタープレスプレスケーキ用塊砕機である。
また、請求項４の発明は、塊砕刃の材質は、圧延を含む鋼材類、ニッケルクロムモリブデン鋼等の機械構造用合金鋼、オーステナイト系、マンテルサイト系ステンレス等の特殊用途鋼及びチタン、アルミニウム、ホワイトメタル、エンプラ等の非鉄金属材のいずれでも良いことを特徴とする請求項１、２及び３記載のフィルタープレスプレスケーキ用塊砕機である。
また、請求項５の発明は、塊砕機本体の材質は、圧延を含む鋼材類、ニッケルクロムモリブデン鋼等の機械構造用合金鋼、オーステナイト系、マンテルサイト系ステンレス等の特殊用途鋼及びチタン、アルミニウム、ホワイトメタル、エンプラ等の非鉄金属材のいずれでも良いことを特徴とする請求項１、２、３及び４記載のフィルタープレスプレスケーキ用塊砕機である。
また、請求項６の発明は、主軸の太さ及び塊砕刃の大きさ、枚数及び間隔は、希望する塊砕粒度分布により設定できることを特徴とする請求項１、２、３、４及び５記載のフィルタープレスプレスケーキ用塊砕機である。
また、請求項７の発明は、塊砕機は、プレスケーキを連続供給又は回分供給のいずれでも使用できることを特徴とする請求項１、２、３、４、５及び６記載のフィルタープレスプレスケーキ用塊砕機である。
また、請求項８の発明は、塊砕機本体の形状は角柱型、円筒状、楕円筒状、及び変楕円筒状のいずれの形状でも良いことを特徴とする請求項１、２、３、４、５、６及び７記載のフィルタープレスプレスケーキ用塊砕機である。
また、請求項９の発明は、塊砕機にプレスケーキを投入する投入口及び塊砕された塊砕物を排出する排出口の形状は、角柱型、円筒状、楕円筒状、及び変楕円筒状のいずれの形状でも良いことを特徴とする請求項１、２、３、４、５、６、７及び８記載のフィルタープレスプレスケーキ用塊砕機である。
また、請求項１０の発明は、塊砕機により塊砕可能な材料としては、フィルタープレスにより濾過脱水作業を行う染料、顔料、塗料、酸化物などを含む含水ケーキや食物繊維を含む繊維質添加固形物、廃水処理等により発生する汚泥固形物等の含水固形物とすることを特徴とする請求項１、２、３、４、５、６、７、８及び９記載のフィルタープレスプレスケーキ用塊砕機である。
また、請求項１１の発明は、塊砕により発熱があり変質などの懸念がある場合は、塊砕機外周に冷却用ジャケットを取り付けることで、変質などの問題を解決することを特徴とする請求項１、２、３、４、５、６、７、８、９及び１０記載のフィルタープレスプレスケーキ用塊砕機である。
また、請求項１２の発明は、塊砕機の取り付けは、フィルタープレス本体に附加して開盤作業と同時に塊砕することも、又排出されたプレスケーキをまとめて塊砕することもできることを特徴とする請求項１、２、３、４、５、６、７、８、９、１０及び１１記載のフィルタープレスプレスケーキ用塊砕機である。
【０００５】
【発明の実施の形態】
この発明の一実施形態を、図１に示す。
塊砕機が、本体を角柱構造（２００ｍｍ角×４００ｍｍ長）とし、これに２０ｍｍΦの主軸に１９５ｍｍΦの平歯を２５ｍｍ間隔で設置し、塊砕刃が１５０ｒｐｍ／分で回転するよう組み立てられている。尚、塊砕機の構成材質はすべてＳＵＳ３０４である。
【０００６】
【実施形態の効果】
この実施形態によれば、本塊砕機に含水率４５％の顔料含有フィルタープレスケーキ（４５０ｍｍ角×１５ｍｍ厚×２０枚）を投入口より投入したところ、即座に排出口より２０ｍｍ〜３０ｍｍ程度に塊砕されたプレスケーキが排出された。
【０００７】
【他の実施形態】
塊砕機が、本体は円筒構造（３００ｍｍΦ×６００ｍｍ長）とし、これに２０ｍｍΦの主軸に２９０ｍｍΦの平歯を３０ｍｍ間隔で設置し、塊砕刃が７０ｒｐｍ／分で回転するよう組み立てられている。尚、塊砕機の構成材質はすべてＳＵｍｍΦの主軸に２９０ｍｍΦの平歯を３０ｍｍ間隔で設置し、塊砕刃が７０ｒｐｍ／分で回転するよう組み立てられている。尚、塊砕機の構成材質はすべてＳＵＳ３０４である。
【０００８】
【実施形態の効果】
この実施形態によれば、本塊砕機に含水率５３％の染料含有フィルタープレスケーキ（５００ｍｍ角×１５ｍｍ厚×２０枚）を投入口より投入したところ、即座に排出口より２５ｍｍ〜３５ｍｍ程度に塊砕されたプレスケーキが排出された
【０００９】
【他の実施形態】
塊砕機が、本体を角柱構造（３００ｍｍ角×９００ｍｍ長）とし、これに２０ｍｍΦの主軸に２９０ｍｍΦの平歯を２５ｍｍ間隔で設置し、塊砕刃が５０ｒｐｍ／分で回転するよう組み立てられている。尚、塊砕機の構成材質はすべてＳＵＳ３０４である。
塊砕機を、フィルタープレス本体下部に濾板の開板工程と連動するように設置し、開板と同時に塊砕工程を行うように設けられている。
【００１０】
【実施形態の効果】
この実施形態によれば、本塊砕機に含水率４５％の塗料含有フィルタープレスケーキ（９００ｍｍ角×１５ｍｍ厚×２０枚）を濾板の開板と同時に本塊砕機投入口に落下投入したところ、即座に排出口より２０ｍｍ〜３０ｍｍ程度に塊砕されたプレスケーキが排出された。
【００１１】
【発明の効果】
以上説明したように、この発明によれば、従来人手により行ってきたフィルタープレスプレスケーキの塊砕を人手に頼らず、容易に、かつ迅速に行うことが可能である。
【００１２】
したがって、塊砕機を導入することにより、作業環境の改善、作業工数の削減等の効果がでる。
【図面の簡単な説明】
【図１】この発明の一実施形態を示す傾斜図である。
【図２】従来技術を示す傾斜図である。
【符号の説明】
１    塊砕機本体                    ２    主軸
３    塊砕刃                        ４    投入口
５    排出口
⇒    投入方向
【図１】
2004337821.tif 000003
【図２】
2004337821.tif 000004